(57)【要約】【課題】弱視者等の利用者に対して案内性の優れた自動改札機を提供する。【解決手段】乗車券に記録されているデータを基に演算処理を行って入出場処理を行う自動改札機において、前記自動改札機の本体を構成する筐体の上面に入出場が禁止されたときに点灯される通過禁止案内ランプを設ける。【選択図】      図１
2004272420.tif 000002
【特許請求の範囲】
【請求項１】
乗車券に記録されているデータを基に演算処理を行って入出場処理を行う自動改札機において、
前記自動改札機の本体を構成する筐体の上面に入出場が禁止されたときに点灯される通過禁止案内ランプを設けたことを特徴とする自動改札機。
【請求項２】
請求項１に記載の自動改札機において、通過禁止案内ランプは、入出場が禁止されたときに赤色又は黄色等の通過禁止案内を示す所定の色彩に点灯されるものであることを特徴とする自動改札機。
【請求項３】
乗車券に記録されているデータを基に演算処理を行って入出場処理を行う自動改札機において、
前記自動改札機の本体を構成する筐体の上面に入出場が許可されたときに点灯される通過許可案内ランプを設けたことを特徴とする自動改札機。
【請求項４】
請求項３に記載の自動改札機において、通過許可案内ランプは、入出場が許可されたときに青色又は緑色等の通過許可手段を示す所定の色彩に点灯されるものであることを特徴とする自動改札機。
【請求項５】
請求項１〜４のいずれかに記載の自動改札機において、筐体の上面は、改札通路側が低くなるように傾斜したものであることを特徴とする自動改札機。
【発明の詳細な説明】
【０００１】
【発明の属する技術分野】
本発明は自動改札機に係り、特に、案内性に優れたものに関する。
【０００２】
【従来の技術】
従来、この種の自動改札機は、乗車券（本発明で乗車券というときは、磁気券からなる普通乗車券や定期券等の各種乗車券類、ストアードフェアカード（ＳＦカード）等のカード類及び無線通信機能を備えたＩＣカードからなる非接触券を含んでいる。）に記録されているデータを基に演算処理を行い、その演算処理の結果、入出場（入場又は出場を意味している。）を許可できるときは、ドアが開かれて（自動改札機の本体がノーマルオープン型のときはそのまま）、改札通路の通過が許可され、その演算処理の結果が入出場を許可できないときは、ドアが閉じられて改札通路の通過が禁止されるように構成されている。
【０００３】
また、従来の自動改札機には、自動改札機の本体で料金の安い子供券（小児券）が使用されたときに点灯して子供券が使用されたことを駅の係員に報知するためのランプが設けられているとともに、無札者（無効券も含む。）が検知されたときに点灯してその旨を係員に報知するためのランプが設けられている（特許文献１参照。）。
【０００４】
【特許文献１】特開平８−７１３３号公報
【０００５】
【発明が解決しようとする課題】
しかしながら、上記従来の自動改札機は、無札者等が検出されたときに点灯されるランプが設けられているが、このランプは、駅の係員に子供券の使用や無札者の発生を報知するためのもので、利用者（旅客）に対してのものでなく、したがって、そのランプを用いた利用者への案内性は期待できなかった。
【０００６】
また、自動改札機は、入出場が拒否されたときはドアが閉じられるので、健常者は入出場を拒否されたことを容易に認識できるが、弱視者は、ドアの閉を認識することが困難で、ドア閉を明確に利用者へ知らせるようにすることが望まれていた。さらに、自動改札機は、ドアレス（ドア無し）タイプとされることがあり、このときに入出場を許可されたこと、又は入出場が禁止（不許可）されたことを利用者へ明確に知らせるようにすることが望まれていた。
【０００７】
そこで、本発明は、上記要望に応えるためになされたものであって、その目的は、入出場が許可されたこと、又は入出場が禁止されたことを明確に利用者に報知できるようにした自動改札機を提供することにある。
【０００８】
【課題を解決するための手段】
本発明は、上記目的を達成するために、請求項１に記載の自動改札機は、乗車券に記録されているデータを基に演算処理を行って入出場処理を行う自動改札機において、前記自動改札機の本体を構成する筐体の上面に入出場が禁止されたときに点灯される通過禁止案内ランプを設けたことを特徴としている。
本発明の請求項２に記載の自動改札機は、通過禁止案内ランプは、入出場が禁止されたときに赤色又は黄色等の通過禁止案内を示す所定の色彩に点灯されるものであることを特徴としている。
本発明は、上記目的を達成するために、請求項３に記載の自動改札機は、乗車券に記録されているデータを基に演算処理を行って入出場処理を行う自動改札機において、前記自動改札機の本体を構成する筐体の上面に入出場が許可されたときに点灯される通過許可案内ランプを設けたことを特徴としている。
本発明の請求項４に記載の自動改札機は、通過許可案内ランプは、入出場が許可されたときに青色又は緑色等の通過許可手段を示す所定の色彩に点灯されるものであることを特徴としている。
本発明の請求項５に記載の自動改札機は、筐体の上面は、改札通路側が低くなるように傾斜したものであることを特徴としている。
【０００９】
【発明の実施の形態】
以下、本発明の実施の形態を図面に基づいて説明する。図１は、一実施の形態に係る自動改札機の本体（以下、「改札機本体」という。）Ｇを形成する一対の筐体のうちの一方の筐体Ｈを改札通路側Ｐから見た斜視図、図２は、その改札機本体Ｇを改札通路Ｐ側から見た正面図である。
【００１０】
この改札機本体Ｇは、無線通信機能を備えたＩＣカードからなる非接触券Ｃ（後述する図２参照）のみを処理することのできる非接触券専用型に構成されている。この改札機本体Ｇを形成する筐体Ｈの改札通路Ｐの入口側上面には、非接触券と交信するためのアンテナａが設けられているとともに、その非接触券との交信内容やその非接触券の残額情報等を利用者に案内する表示画面１が設けられている。また、その筐体Ｈの改札通路Ｐの入口側端面上部には、改札機本体Ｇの稼動状態を利用者に報知する案内部２が設けられている。
【００１１】
上記表示画面１の設けられている筐体Ｈの上面のアンテナａ寄りには、図示されるように、改札通路Ｐ側が低くなる傾斜面に形成されていて、利用者が表示画面１の表示内容を見やすいように工夫されている。そして、その傾斜している筐体Ｈの上面には、表示画面１よりも改札通路Ｐの出口側に向けて大型の通過許可案内ランプＬ１  及び大型の通過禁止案内ランプＬ２  が順に設けられている。この通過許可案内ランプＬ１  は、改札通路Ｐの通過方向に伸びる長方形の窓形を呈し、点灯したときは青色（緑色を含む。）に発色できるように構成されている。また、通過禁止案内ランプＬ２  は、ドアＤ１  の位置に対応し、かつ、上方に突出した円形を呈していて、点灯したときは、赤色に発色できるように構成されている。これら両ランプＬ１  ，Ｌ２  は、点灯したときに連続点灯としてもよく、また、点滅点灯とすることもできる。点滅点灯としたときは、より案内性を高めることができる。
【００１２】
なお、改札機本体Ｇは、磁気券も処理できる兼用型とすることもできる。この場合は、筐体Ｈのアンテナａの近くで、改札通路Ｐの入口側に磁気券の投入口が設けられるとともに、その筐体Ｈの上面で改札通路Ｐの出口側に磁気券の取出口が設けられ、また、筐体Ｈの内部には、磁気券を処理するための磁気ヘッド等を備えたカードハンドラが設けられる。さらに、改札機本体Ｇを入場用にも出場用にも使用できる、いわゆる双方向型にしたときは、図示しない他方の筐体にも、アンテナや投入口等が設けられる。
【００１３】
図中、Ｂはセンサ取付ボックスであって、筐体Ｈの上面で、かつ、改札通路Ｐと反対側に設けられ、その改札通路Ｐに沿って設けられている。このセンサ取付ボックスＢ内には、反射型センサからなる人間検知器Ｓ１  〜Ｓ３  が改札通路Ｐの入口側、中央部及び出口側にそれぞれ内蔵されていて、改札通路Ｐ内の大人の利用者を検知することができるように構成されている。すなわち、この反射型センサからなる人間検知器Ｓ１  〜Ｓ３  は、改札通路Ｐの床面から所定の高さに向けて光線を照射する発光素子と、その照射された光線が物体（利用者）に当たって反射してきた光線（反射光）を受光する受光素子とにより構成されている。また、Ｓ１０〜Ｓ１５は、光電素子からなる透過型センサからなる人間検知器であって、筐体Ｈの改札通路Ｐ側に所定の間隔を保って設けられていて、改札通路Ｐ内の利用者位置を検知することができるように構成されている。そして、これら透過型センサからなる人間検知器Ｓ１０〜Ｓ１５で検知され、かつ、上述の反射型センサからなる人間検知器Ｓ１  〜Ｓ３  で検知されないときは、その利用者は子供（小児）の利用者と判定される。
【００１４】
図中、Ｌ′はランプであって、センサ取付ボックスＢの改札通路Ｐの出口側上面に設けられている。このランプＬ′は、従来の自動改札機に用いられているものと同様に、改札機本体Ｇで子供券が使用されたときに白色に発光して利用者が子供券を使用したことを係員に報知するとともに、無札者（無効券も含む。）が発生したときに、赤色に発光してその旨を係員に報知できるように構成されている。
【００１５】
図中、Ｄ１  ，Ｄ２  は、改札通路Ｐを開閉する、筐体Ｈの側面に設けられたドアであり、これらドアＤ１  ，Ｄ２  のうち、ドアＤ１  は改札通路Ｐの出口側に設けられ、ドアＤ２  はその入口側に設けられている。そして、これらドアＤ１  ，Ｄ２  は、改札機本体Ｇを統括的に制御する制御器３により駆動制御されるように構成されている。また、ドアＤ２  は、改札機本体Ｇが稼動を停止したときに閉じられるドアであり、さらに、改札機本体Ｇがノーマルオープン型のときや双方向型のときは、このドアＤ２  は、図１の矢印方向と反対方向から進入してくる利用者に対して改札通路Ｐの出口側のドアとなる。
【００１６】
図中、イは、開口部であって、筐体Ｈの改札通路Ｐ側の側面下部に貫通して、すなわち、筐体Ｈを中間にした反対側の改札通路Ｐに通じる空間として形成されている。この開口部イの大きさは、筐体Ｈが所定の強度を保てる範囲で、かつ、その筐体Ｈ内にドアＤ１  ，Ｄ２  の駆動機構や制御機器類を収納できる容積を確保して、可能な限り大きくあけられる。また、その開口部イの形状は、図示のように長方形ではなく、円形や楕円、あるいは多角形であってもよい。このように、筐体Ｈに開口部イを設けると、筐体Ｈの重量を軽減できる等の効果を得ることができる。
【００１７】
図３は、制御器３の概略構成を示すブロック図であって、メモリ１０に格納されているシステムプログラムデータ及びワーキングデータを用いて所定の演算処理を行う中央処理部（ＣＰＵ）１１を有している。そして、このＣＰＵ１１には、アンテナａを介して非接触券Ｃとデータ授受を行うリーダライタ１２と、各人間検知器Ｓ１  〜Ｓ３  ，Ｓ１０〜Ｓ１５からの信号を入力して増幅処理等する人間検知器ユニット１３と、ドアＤ１  ，Ｄ２  を駆動制御するドア駆動ユニット１４と、ランプＬ１  ，Ｌ２  ，Ｌ′を点灯制御するランプ駆動ユニット１５とが接続されている。なお、ＣＰＵ１１には、表示画面１を駆動制御するユニット等も接続されているが、ここでは省略されている。
【００１８】
非接触券Ｃは、周知の無線通信機能を有するＩＣカードと同様に構成されている。すなわち、この非接触券Ｃには、図示しないが、アンテナと、改札機本体Ｇ側と交信するための通信制御部と、その通信制御部とＩ／Ｏユニットを介して接続されているＣＰＵと、システムプログラムデータ、定期券データ、ＳＦカードデータ及びカードＩＤデータ等の所定のカードデータの記録されているメモリと、改札機本体Ｇからの電力波をアンテナを介して受信し、非接触券Ｃの駆動電力を生成する電力生成回路とを有している。
【００１９】
以下、図４のフローチャートを用いて制御動作について説明する。今、非接触券Ｃを所持している利用者が改札機本体Ｇを介して入出場を行おうとしてその非接触券Ｃをアンテナａに軽くタッチ、又はそのアンテナａにかざしたとする（以下、タッチで説明する。）（ステップ１００肯定。以下、ステップを「Ｓ」とする。）。なお、図４のフローチャートでは省略されているが、アンテナａを介しての交信が行われることなく、利用者の進入が所定位置まで進入したことが検知されたときは、その利用者は無札者と判定されてドアＤ１  が閉じられて入出場が禁止（阻止）され、また、その無札者の発生をランプＬが点灯して係員に報知される。
【００２０】
さて、非接触券Ｃがアンテナａにタッチされると、改札機本体Ｇと非接触券Ｃとの間でデータ授受が行われ、改札機本体ＧのＣＰＵ１１では、非接触券Ｃから得たカードデータに基づいて入出場のための所定の演算処理が行われる（Ｓ１０２）。そして、その演算処理の結果、入出場を許可できるときは（Ｓ１０４肯定）、ドアＤ２  が開かれて（改札機本体Ｇがノーマルオープン型のときはそのまま）、通過許可案内ランプＬ１  が青色に点灯される（Ｓ１０６）。したがって、利用者は、通過許可案内ランプＬ１  が青色に点灯されたことにより改札通路Ｐの通過が許可されたことを容易に知ることができる。
【００２１】
改札機本体ＧのＣＰＵ１１における演算処理の結果、入出場を許可できないとき、例えば、有効期間切れや乗越し、あるいは、ＳＦカードの残額が不足するようなときは（Ｓ１０４否定）、ドアＤ１  が閉じられるとともに、通過禁止案内ランプＬ２  が点灯され、また、表示画面１に精算案内等の所定の案内が行われる（Ｓ１０８）。したがって、利用者は、通過禁止案内ランプＬ２  が赤色で大きく点灯されるので、改札通路Ｐの通過が禁止（阻止）されたことを容易に知ることができる。しかも、この通過禁止案内ランプＬ２  は、ドアＤ１  が閉じられるよりも先に点灯されるので、利用者が閉じられたドアＤ１  に接触するのを効果的に防止することもできる。
【００２２】
なお、上述の例では、改札機本体Ｇにドアが設けられている例を示したが、両ランプＬ１  ，Ｌ２  で入出場の許可又は不許可を案内することができるので、ドアレスタイプとすることができる。また、上述の例では、改札機本体Ｇを非接触券Ｃのみを処理する非接触券専用型としたが、磁気券も処理できる兼用型としてもよく、あるいは、磁気券のみを処理する投入型とすることもできる。
【００２３】
【発明の効果】
本発明の請求項１に記載の自動改札機は、改札機本体を構成する筐体の上面に入出場が禁止されたときに点灯される通過禁止案内ランプを設けたので、案内性に優れた自動改札機とすることができる。
本発明の請求項２に記載の自動改札機は、通過禁止案内ランプは、入出場が禁止されたときに赤色又は黄色等の通過禁止案内を示す所定の色彩に点灯されるものであるので、より案内性を高めることができる。
本発明の請求項３に記載の自動改札機は、改札機本体を構成する筐体の上面に入出場が許可されたときに点灯される通過許可案内ランプを設けたので、案内性に優れた自動改札機とすることができる。
本発明の請求項４に記載の自動改札機は、通過許可案内ランプは、入出場が許可されたときに青色又は緑色等の通過許可手段を示す所定の色彩に点灯されるものであるので、より案内性に優れた自動改札機とすることができる。
本発明の請求項５に記載の自動改札機は、筐体の上面は、改札通路側が低くなるように傾斜したものであるので、より案内性に優れた自動改札機とすることができる。
【図面の簡単な説明】
【図１】本発明の一実施の形態に係る改札機本体の一対の筐体のうちの一方の筐体を改札通路側から見た斜視図である。
【図２】改札機本体を改札通路側から見た正面図である。
【図３】制御器の概略構成を示すブロック図である。
【図４】制御動作を示すフローチャートである。
【符号の説明】
Ｇ  自動改札機の本体（改札機本体）
Ｈ  筐体
ａ  アンテナ
１  表示画面
２  案内部
３  制御器
Ｌ′  ランプ
Ｌ１    通過許可案内ランプ
Ｌ２    通過禁止案内ランプ
Ｓ１  〜Ｓ３  、Ｓ１０〜Ｓ１５  人間検知器
Ｄ１  ，Ｄ２    ドア
Ｐ  改札通路
Ｃ  非接触券
イ  開口部
【図１】
2004272420.tif 000003
【図２】
2004272420.tif 000004
【図３】
2004272420.tif 000005
【図４】
2004272420.tif 000006